(57)【要約】【課題】ＲＦ強度が強い場合、ＮＦＣ  ＩＣに過電圧が発生しそのＩＣが破壊する恐れがあるので、そのＮＦＣ  ＩＣの破壊を防止する安価な構成の手段が求められている。【解決手段】携帯端末からの誘導電力によって前記携帯端末と近距離無線通信を行う電子機器に以下の構成を備える。即ち、携帯端末からのＲＦ信号によって誘導電力が発生するアンテナと、前記誘導電力により生じるピーク電圧を降下させる素子と、前記降下した電圧によって駆動され、近距離無線通信を行う回路と、前記降下した電圧によって駆動され発光する発光素子である。【選択図】  図２
2018093453.tif 000002
【特許請求の範囲】
【請求項１】
携帯端末からの誘導電力によって前記携帯端末と近距離無線通信を行う電子機器であって、
前記携帯端末からのＲＦ信号によって前記誘導電力が発生するアンテナと、
前記誘導電力によって生じるピーク電圧を降下させる素子と、
前記素子によって降下した電圧によって駆動され、前記近距離無線通信を行う回路と、
前記素子によって降下した電圧によって駆動され発光する発光素子とを有することを特徴とする電子機器。
【請求項２】
前記素子として抵抗が用いられ、
前記発光素子としてＬＥＤが用いられ、
前記抵抗は、前記回路と前記アンテナとの間に直列に接続され、
前記ＬＥＤは、前記回路と前記アンテナとの間に並列に接続されることを特徴とする請求項１に記載の電子機器。
【請求項３】
前記ＬＥＤにさらに並列にコンデンサが接続されることを特徴とする請求項２に記載の電子機器。
【請求項４】
前記ＬＥＤの点灯と消灯を行うスイッチと、
前記スイッチの動作を制御して、前記ＬＥＤを間欠点灯させる制御回路とをさらに有することを特徴とする請求項２又は３に記載の電子機器。
【請求項５】
前記間欠点灯の間隔は、前記制御回路に設定されることを特徴とする請求項４に記載の電子機器。
【請求項６】
前記ＬＥＤは複数、前記回路と前記アンテナとの間に並列に接続されることを特徴とする請求項２又は３に記載の電子機器。
【請求項７】
前記ＬＥＤは前記携帯端末と前記電子機器との間の距離に従って点灯し、前記距離に従って前記ＬＥＤの点灯強度が変化することを特徴とする請求項２乃至６のいずれか１項に記載の電子機器。
【請求項８】
前記携帯端末と前記電子機器との間が通信可能な距離でない場合は、前記ＬＥＤは消灯することを特徴とする請求項７に記載の電子機器。
【請求項９】
前記回路には、前記ピーク電圧を降下させる可変抵抗が内蔵されることを特徴とする請求項１乃至８のいずれか１項に記載の電子機器。
【請求項１０】
前記近距離無線通信はＮＦＣを含むことを特徴とする請求項１乃至９のいずれか１項に記載の電子機器。
【請求項１１】
前記電子機器は、記録装置、デジタルカメラ、パーソナルコンピュータを含むことを特徴とする請求項１乃至１０のいずれか１項に記載の電子機器。
【請求項１２】
前記携帯端末は、スマートフォンやタブレット端末を含むことを特徴とする請求項１乃至１１のいずれか１項に記載の電子機器。
【請求項１３】
携帯端末からの誘導電力によって前記携帯端末と近距離無線通信を行うための回路を有する電子機器の動作方法であって、
前記携帯端末からのＲＦ信号をアンテナによって受信する工程と、
前記アンテナに発生する誘導電力によって生じるピーク電圧を前記電子機器に内蔵した素子によって降下させる工程と、
前記素子によって降下した電圧によって前記回路を駆動し、前記近距離無線通信を行う工程と、
前記素子によって降下した電圧によって発光素子を駆動して発光させる工程とを有することを特徴とする電子機器の動作方法。
【発明の詳細な説明】
【技術分野】
【０００１】
本発明は電子機器及びその制御方法に関し、特に、例えば、ＮＦＣなどの近距離無線通信により通信が可能な電子機器、及び、その動作方法に関する。
【背景技術】
【０００２】
近距離無線通信方法の一例として、従来より、１０ｃｍ程度の通信距離で簡単にデータ通信が可能なＮＦＣ（Near Field Communication）という技術がある。その技術を応用するとＮＦＣを実装したプリンタにＮＦＣリーダライタ（以下、ＮＦＣ  Ｒ／Ｗ）機能を備えたスマートフォンやタブレット端末などの携帯端末を近づけることによりその携帯端末に格納されていた写真や画像をプリンタで印刷させることができる。
【０００３】
さて、ＮＦＣでは、ＮＦＣ  Ｒ／Ｗが発生させる電波（以下、ＲＦ）により発生する磁界によって、受信側であるＮＦＣ  ＩＣに誘導電流を発生させて電力を供給するので、ＩＣ動作のために必要な電力を発生させるのに十分な磁界強度が必要になる。
【０００４】
しかしながら、スマートフォン、タブレット端末などの携帯端末が実装するＮＦＣ  Ｒ／Ｗが発生する磁界強度はそれぞれで異なるので、一部の携帯端末ではＮＦＣ規格以上の磁界を発生させている。このため、受信側装置のＮＦＣアンテナに発生するピーク電圧値がＮＦＣ  ＩＣの定格を超えることがあり、そのＩＣに印加されるピーク電圧を定格内に抑える対策が必要になる。これとは反対に、発生する磁界強度がＮＦＣ規格下限となるＮＦＣ  Ｒ／Ｗもあるので、受信側装置のＮＦＣアンテナに発生するピーク電圧値が小さくなる場合もある。そのため、ＲＦ受信感度を高めるため、送信側装置のＮＦＣ  Ｒ／Ｗと受信側装置のＮＦＣアンテナの位置合わせが必要になることもある。
【０００５】
以上のような課題を考慮して、従来も、例えば、特許文献１が開示するような「電磁波放射検出装置」が提案されている。特許文献１によれば、送信アンテナからのＲＦ信号により受信アンテナに電力が供給されることによりＬＥＤ等の素子に電流を流し、無線の受信状態を可視化可能にしている。これにより、送信アンテナのＲＦ信号により受信アンテナのＬＥＤを発光させることで通信状態を判別したり、ユーザに対して通信確立したかどうかを通知できる。
【先行技術文献】
【特許文献】
【０００６】
【特許文献１】特開平８−９７７３５号公報
【発明の概要】
【発明が解決しようとする課題】
【０００７】
特許文献１では、送信アンテナからのＲＦ信号により受信アンテナに誘導される電力によってＬＥＤなどの素子に電流を供給し、無線の受信状態を可視化しているのみで、その電流がアンテナ後段のＩＣに接続されている訳ではない。このため、特許文献１では、そのＩＣの保護は考慮されていない。
【０００８】
しかしながら、ＮＦＣ  Ｒ／Ｗが発生させる磁界によって受信側の装置が電力供給を受け駆動する場合、受信アンテナ後段のＩＣの接続を考慮する必要がある。
【０００９】
上述のように、ＮＦＣ  Ｒ／Ｗを実装する種々の携帯端末により発生する磁場の磁界強度がそれぞれの携帯端末で異なるため、受信側装置のＮＦＣアンテナに発生する誘導電流の電圧も異なる。このため、ＮＦＣ規格により規定された以上の電圧が発生し、受信側装置のＩＣにＮＦＣ規格に規定された耐圧以上の電圧が印加され、そのＩＣチップが破壊されてしまう可能性がある。また、誘導電流により発生する電圧がＮＦＣ規格に規定される下限未満であれば、無線通信を確立するために送信側装置のＮＦＣ  Ｒ／Ｗと受信側装置のＮＦＣアンテナの結合強度が一番強くなるように位置合わせが必要になる。
【００１０】
本発明は上記従来例に鑑みてなされたもので、安価な構成で、誘導電力により回路が破壊するのを防止できる電子機器、及びその動作方法を提供することを目的としている。
【課題を解決するための手段】
【００１１】
上記目的を達成するために本発明の電子機器は次のような構成を有する。
【００１２】
即ち、携帯端末からの誘導電力によって前記携帯端末と近距離無線通信を行う電子機器であって、前記携帯端末からのＲＦ信号によって前記誘導電力が発生するアンテナと、前記誘導電力によって生じるピーク電圧を降下させる素子と、前記素子によって降下した電圧によって駆動され、前記近距離無線通信を行う回路と、前記素子によって降下した電圧によって駆動され発光する発光素子とを有することを特徴とする。
【００１３】
また本発明を別の側面から見れば、携帯端末からの誘導電力によって前記携帯端末と近距離無線通信を行うための回路を有する電子機器の動作方法であって、前記携帯端末からのＲＦ信号をアンテナによって受信する工程と、前記アンテナに発生する誘導電力によって生じるピーク電圧を前記電子機器に内蔵した素子によって降下させる工程と、前記素子によって降下した電圧によって前記回路を駆動し、前記近距離無線通信を行う工程と、前記素子によって降下した電圧によって発光素子を駆動して発光させる工程とを有することを特徴とする電子機器の動作方法を備える。
【発明の効果】
【００１４】
従って本発明によれば、アンテナに誘導電力に伴う大きな電圧が発生した場合でも、近距離無線通信を行う回路を保護することができる。
【図面の簡単な説明】
【００１５】
【図１】本発明の代表的な実施例である携帯端末とＭＦＰとの間にＮＦＣ通信を用いたネットワーク構成を示す図である。
【図２】ＭＦＰに実装されるＮＦＣ通信用の回路の基本構成を示す図である。
【図３】図２に示したＮＦＣ通信用の回路にＬＥＤを間欠点灯させる制御回路を付加した構成を示した回路図である。
【図４】図２に示したＮＦＣ通信用の回路に複数のＬＥＤを並列接続する構成を示した回路図である。
【図５】図２〜図４に示すＮＦＣ通信用の回路を実装するＭＦＰの制御構成を示すブロック図である。
【図６】ＮＦＣ通信を行う場合のアンテナパターンに実装したＬＥＤの点灯制御の動作を示すフローチャートである。
【発明を実施するための形態】
【００１６】
以下添付図面を参照して本発明の好適な実施例について、さらに具体的かつ詳細に説明する。ただし、この実施例に記載されている構成要素の相対配置等は、特定の記載がない限りは、この発明の範囲をそれらのみに限定する趣旨のものではない。
【００１７】
なお、この明細書において、「記録」（「プリント」という場合もある）とは、文字、図形等有意の情報を形成する場合のみならず、有意無意を問わない。さらに人間が視覚で知覚し得るように顕在化したものであるか否かも問わず、広く記録媒体上に画像、模様、パターン等を形成する、または媒体の加工を行う場合も表すものとする。
【００１８】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００１９】
この実施例では、携帯端末のユーザが、携帯端末によって励起される誘導電力により実行される近距離無線通信の１つである、例えば、ＮＦＣを用いて記録装置と通信する場合の実施例を説明する。このため、少なくとも、スマートフォンやタブレット端末などの携帯端末にはＮＦＣリーダライタ（以下、ＮＦＣ  Ｒ／Ｗ）が実装され、記録装置にはＮＦＣ  ＩＣが実装されることを前提としている。
【００２０】
この実施例では、上記のことに鑑み、携帯端末を用いて記録装置の代表的な例であるマルチファンクションプリンタ（以後、ＭＦＰ）にジョブを送信する際に、ＮＦＣ通信制御について説明する。なお、ＮＦＣは近距離無線通信の一例に過ぎず、ＲＦ−Ｉｄも同様な近距離無線通信の１つである。
【００２１】
図１は本発明の代表的な実施例である携帯端末とＭＦＰとの間にＮＦＣ通信を用いたネットワーク構成を示す図である。
【００２２】
図１に示すように、携帯端末１のＮＦＣ  Ｒ／Ｗから出力されるＲＦ信号７をＮＦＣ  ＰＷＢ３に実装されたアンテナパターン４が受信した信号をＮＦＣ  ＩＣ２のチップ内部でアナログ／デジタル変換（以下、Ａ／Ｄ変換）し、通信情報を受信する。ＮＦＣ  ＰＷＢ（プリント配線基板：Printed Wiring Board）３は、ＭＦＰに実装される近距離無線通信用の回路基板である。
【００２３】
ここで、携帯端末１のＮＦＣ  Ｒ／Ｗの仕様によってはアンテナパターン４に発生する電力（ピーク電圧：Ｖｐ−ｐ）がＮＦＣ規格を超える場合がある。このため、アンテナパターン４に電圧を下げる素子を挿入し、ＮＦＣ  ＩＣ２に印加される電圧ピーク値を下げることで、ＮＦＣ  ＩＣ２を保護している。電圧を下げる素子としては、抵抗５、ダイオード（ＬＥＤ）６などの素子がある。直流電圧が印加されている場合、発光素子としてのダイオード（ＬＥＤ）６は素子間に順方向降下電圧Ｖｆが発生するため、Ｖｆによってアンテナパターン４に発生するピーク電圧を下げることができる。
【００２４】
ＮＦＣ  ＲＦ信号は交流波形信号なので、ダイオード（ＬＥＤ）６のピーク電圧の電圧降下量はダイオード（ＬＥＤ）６に流れる電流量分、電圧降下が生じる。その際、ダイオード（ＬＥＤ）６とは並列にコンデンサ１０を接続することで、コンデンサ１０の交流電流を流す機能により、ダイオード（ＬＥＤ）６の整流作用の影響を受けずに受信したＲＦ信号を全波信号のままＮＦＣ  ＩＣ２に供給することができる。
【００２５】
携帯端末１のＮＦＣ  Ｒ／Ｗにより発生する磁界によって供給される電力はアンテナパターン４との距離が近いほど強くなる。
【００２６】
図１に示すように、この実施例ではアンテナパターン４にダイオード（ＬＥＤ）６を接続している。このため、ＮＦＣ  Ｒ／Ｗにより発生する磁界によりダイオード（ＬＥＤ）６を点灯する電力を供給できる距離までＮＦＣ  Ｒ／Ｗがアンテナパターン４に近接していると、ダイオード（ＬＥＤ）６が点灯する。その点灯により、携帯端末１と近接していることを視覚的に確認することが可能になる。
【００２７】
また、ＮＦＣ  Ｒ／Ｗとアンテナパターン４との間の距離によってアンテナパターン４に発生するピーク電圧（Ｖｐ−ｐ）が変化するため、ダイオード（ＬＥＤ）６の点灯強度によって、ＮＦＣ  Ｒ／Ｗとの距離を視覚的に確認できる。反対に、ダイオード（ＬＥＤ）６が無点灯時には、ＮＦＣ  Ｒ／Ｗとアンテナパターン４との間の距離がＮＦＣ通信可能な距離の外にあることが視覚的に確認できる。
【００２８】
図２はＭＦＰに実装されるＮＦＣ通信用の回路の基本構成を示す図である。
【００２９】
図２に示すＮＦＣ  ＩＣ２とＣＰＵ９との間は、通信ライン８によってＳＰＩやＩ２Ｃなどの通信方式を用いて通信を行うことで、ＮＦＣ  ＩＣ２に対してＣＰＵ９はデータの送受信を行う。この送受信は、クロック信号（ＣＬＫ）に同期してデータ信号（ＤＡＴＡ）を送受信することで実現される。コンデンサ１０はアンテナパターン４の共振周波数を任意の周波数に調整するために実装される。また、コンデンサ１０は前述のように、交流電流を流す機能により受信したＲＦ信号を全波信号としてＮＦＣ  ＩＣ２に供給する。また、ＮＦＣ  ＩＣ２の内部には可変抵抗１１が実装される。
【００３０】
図２に示すように、可変抵抗１１をＮＦＣ  ＩＣ２に内蔵することで、アンテナパターン４に発生するピーク電圧（Ｖｐ−ｐ）をＮＦＣ  ＩＣ２の内部で電圧降下させる。これにより、ＮＦＣ  ＩＣ２の内部ロジック回路に印加される電圧を下げＮＦＣ  ＩＣ２を保護する。このようにして、アンテナパターン４に電圧を下げる素子を挿入することと同じ効果が得られるため、ＮＦＣ  ＩＣ２の内部ロジック回路に印加されるピーク電圧を下げることでＮＦＣ  ＩＣ２を保護する。
【００３１】
また、保護素子をＮＦＣ  ＩＣ２に内蔵する可変抵抗１１とすることで、ＮＦＣ  ＩＣ２のレジスタ設定などで抵抗値を変更し、ピーク電圧Ｖｐ−ｐの電圧降下量を調整するとともに携帯端末１とのＮＦＣ通信に影響が出ないよう電圧信号強度を調整できる。
【００３２】
図３は図２に示したＮＦＣ通信用の回路にＬＥＤを間欠点灯させる制御回路を付加した構成を示した回路図である。なお、図３において、既に図２を参照して説明したのと同じ構成要素には同じ参照番号を付し、その説明は省略する。
【００３３】
ダイオード（ＬＥＤ）６の点灯により消費される電力によって、アンテナパターン４に発生するピーク電圧に降下が発生し、ＮＦＣ通信距離を低下させる影響がある可能性がある。そのため、人間の目では常時点灯しているように見える程度にＬＥＤ６を間欠点灯する制御回路１２を実装することで、ＬＥＤ６に流れる電流を調整可能にする。その間欠点灯の間隔は、制御回路１２に設定値を設定するようにしても良いし、ダイオード（ＬＥＤ）６に印加されるアンテナパターン４に生じるピーク電圧から点灯間隔を設定するようにしても良い。
【００３４】
図３に示す構成では、制御回路１２がＬＥＤ６に直列に接続されているスイッチ１２ａを制御しているが、ＬＥＤ６に直列に制御回路１２を実装し、ＬＥＤ６を間欠点灯させる構成でもよい。
【００３５】
いずれにしても、ＬＥＤ６の間欠点灯の点灯間隔によって、電圧降下分を調整できるため、アンテナパターン４に発生したピーク電圧の電圧降下分がＮＦＣ通信に影響がでないように調整できる。また、制御回路１２は、ＮＦＣ  ＩＣ２又はＣＰＵ９の内部に実装される形態でも良い。点灯間隔は制御回路１２に設定された任意の値を設定できる。
【００３６】
図４は図２に示したＮＦＣ通信用の回路に複数のＬＥＤを並列接続する構成を示した回路図である。
【００３７】
図４に示すＬＥＤ６やＬＥＤ１３のように、ＬＥＤを複数、並列接続する場合、ＬＥＤ６とＬＥＤ１３に流れる電流値が大きくなるためアンテナパターン４に発生するピーク電圧Ｖｐ−ｐの電圧降下分が、ＬＥＤ６を１個、実装する場合と比べて大きくなる。このため、ＬＥＤを１個、実装する場合と比べて、ＮＦＣ  ＩＣ２の保護機能が高まる。なお、ＬＥＤ６およびＬＥＤ１３の順方向はアンテナパターン４に対して並列にどちら向きに実装してもよい。
【００３８】
以上のように、電圧を低下させる素子としてＬＥＤを実装した場合、ＮＦＣ  Ｒ／ＷからのＲＦ信号によって生じる磁界によりアンテナパターンに発生する誘導電力によってＬＥＤが点灯する。このため、ＬＥＤの点灯により、アンテナパターン４にＮＦＣ  Ｒ／Ｗが近づいていることを視覚的に認識できるようになる。また、ＬＥＤの点灯強度によってアンテナパターンとＮＦＣ  Ｒ／Ｗの距離やＮＦＣ  Ｒ／Ｗにより生じている磁界強度が視覚的に認識できるので、ＮＦＣの通信可能距離をＬＥＤ点灯で知ることができる。
【００３９】
加えて、複数の異なる色を発光するＬＥＤを実装すれば、その色によってＲＦ磁界認識距離、ＲＦ通信可能距離などを判別することもできる。
【００４０】
図５は図２〜図４に示すＮＦＣ通信用の回路を実装するＭＦＰの制御構成を示すブロック図である。
【００４１】
図５に示されるように、ＭＦＰ１４は主にシステム制御部１５、インタフェース部１６、ユーザインタフェース部１７、メカトロ・センサ部１８、電源３２から構成される。
【００４２】
システム制御部１５は、ＣＰＵ９、ＲＯＭ２０、ＲＡＭ２１から構成されており、ＭＦＰ全体の制御を行う。インタフェース部１６はＮＦＣタグ２２、無線ＬＡＮ２３、有線ＬＡＮ２４、外部メモリスロット２５など外部機器やメモリとのインタフェースを含む。ユーザインタフェース部１７は、ＬＣＤ２６などのディスプレイと、スイッチやタッチパネルなどによって構成される操作部２７などを含む。ＮＦＣタグ２２には前述したＮＦＣ  ＩＣ２が実装される。
【００４３】
また、メカトロ・センサ部１８は、記録媒体を搬送したりキャリッジを往復移動させるモータなどの駆動機構部２８、駆動機構部２８の挙動を監視するセンサ機構２９、記録ヘッド３０、スキャナ３１などを含む。記録ヘッド３０は、例えば、インクジェット方式に従ってインクを記録媒体に吐出して記録を行い、スキャナ３１は原稿台ガラスに載置された原稿の画像を光学的に読取る。
【００４４】
電源３２は、図５中では図面を簡略化するために各ブロックとの接続線を省略しているが、各ブロックに対して接続され、電力を供給する。
【００４５】
なお、ここでは、携帯端末１との間で、ＮＦＣ通信を行う代表例として、ＭＦＰを例示しているが、本発明はこれによって限定されるものではなく、ＭＦＰ以外の情報処理装置を用いても良い。その情報処理装置としては、例えば、デジタルカメラ、パーソナルコンピュータ（ＰＣ）などの電子機器でも良い。
【００４６】
図６はＮＦＣ通信を行う場合のアンテナパターンに実装したＬＥＤの点灯制御の動作を示すフローチャートである。
【００４７】
まず、ＭＦＰ１４は携帯端末１とＮＦＣ通信を行っていない状態であるＮＦＣスタンバイにあるとする。ステップＳ１において、ＮＦＣスタンバイの状態ではダイオード（ＬＥＤ）６は消灯状態である。ここで、ＮＦＣ  Ｒ／Ｗ（即ち、携帯端末１）が接近してくるとＲＦ磁界が発生し、アンテナパターン４に電圧Ｖｐ−ｐが生じる。
【００４８】
ステップＳ２において、電圧Ｖｐ−ｐがダイオード（ＬＥＤ）６の起電力を越えたかどうかに従って、ダイオード（ＬＥＤ）６の点灯が制御される。即ち、電圧Ｖｐ−ｐがダイオード（ＬＥＤ）６の起電力を越えた場合には、ステップＳ３でダイオード（ＬＥＤ）６が点灯する。前述のように、ＮＦＣ  ＩＣ２の内部には可変抵抗１１が実装されているので、ピーク電圧（Ｖｐ−ｐ）はＮＦＣ  ＩＣ２の内部で降下し、ＮＦＣ  ＩＣ２の内部ロジック回路に印加される電圧を下げＮＦＣ  ＩＣ２を保護する。これに対して、電圧Ｖｐ−ｐがダイオード（ＬＥＤ）６の起電力以下である場合には、ステップＳ１でダイオード（ＬＥＤ）６の消灯状態が維持される。
【００４９】
さらに、ＮＦＣ  Ｒ／Ｗ（即ち、携帯端末１）がより接近すると、ＮＦＣ通信が可能な距離となる。
【００５０】
このため、ステップＳ４では、携帯端末１とＭＦＰ１４との間の距離（Ｌ）に従ってＮＦＣの通信開始が制御される。即ち、携帯端末１とＭＦＰ１４との間の距離（Ｌ）がＮＦＣ通信可能距離（Ｌｃｏｍ）に達し、ＮＦＣ通信が開始されると、ステップＳ５において、ＮＦＣ通信完了が監視される。これに対して、ＮＦＣ通信が開始されない場合、ステップＳ７では、ＮＦＣ  Ｒ／Ｗ（即ち、携帯端末１）とＭＦＰ１４との間の距離（Ｌ）が通信可能距離（Ｌｃｏｍ）に達する前にＮＦＣ通信開始とＬＥＤ点灯が制御される。
【００５１】
即ち、距離（Ｌ）が長くなっているかどうかに従って、つまり、Ｌ＞Ｌｃｏｍ、携帯端末１はＭＦＰ１４から離れた場合には、ステップＳ１でダイオード（ＬＥＤ）６は消灯状態となり、ＮＦＣスタンバイに戻る。これに対して、Ｌ≦Ｌｃｏｍ、携帯端末１とＭＦＰ１４との間の距離がＮＦＣ通信可能距離に維持されている場合には、ステップＳ４においてＮＦＣ通信開始が引き続き監視される。
【００５２】
さて、ステップＳ５では、ＮＦＣ通信完了が監視され、ＮＦＣ通信が引き続き実行されている場合、ステップＳ８において、距離（Ｌ）が長くなっているかどうかに従って、ＮＦＣ通信完了とＬＥＤ点灯が制御される。
【００５３】
即ち、Ｌ＞Ｌｃｏｍ、携帯端末１がＭＦＰ１４から離れた場合には、ステップＳ１でダイオード（ＬＥＤ）６の消灯状態となり、ＮＦＣスタンバイに戻る。これに対して、Ｌ≦Ｌｃｏｍ、携帯端末１とＭＦＰ１４との間の距離がＮＦＣ通信可能距離に維持されている場合には、ステップＳ５においてＮＦＣ通信完了が引き続き監視される。そして、ステップＳ５において、ＮＦＣ通信完了が確認されると、ステップＳ６では、距離（Ｌ）が長くなっているかどうかに従って、ＬＥＤ点灯が制御される。
【００５４】
即ち、Ｌ＞Ｌｃｏｍ、携帯端末１がＭＦＰ１４から離れた場合には、ステップＳ１でダイオード（ＬＥＤ）６は消灯状態となり、ＮＦＣスタンバイに戻る。これに対して、Ｌ≦Ｌｃｏｍ、携帯端末１とＭＦＰ１４との間の距離がＮＦＣ通信可能距離に維持されている場合には、ステップＳ３においてＬＥＤが引き続き点灯される。
【００５５】
従って以上説明した実施例に従えば、携帯端末とＭＦＰとの間の距離に従ってＬＥＤの点灯が制御されるのに加え、ＬＥＤの点灯状態はＮＦＣ通信の開始と完了に従っても制御される。従って、ユーザはＭＦＰのＬＥＤの点灯状態から携帯端末のＭＦＰへの近接状態とＮＦＣ通信の状態を確認することができる。また、携帯端末とＭＦＰとの間の距離に従ってＬＥＤが点灯する際には、可変抵抗によりＮＦＣ  ＩＣの内部ロジック回路に印加される電圧は降下するので、過大な電圧によりＮＦＣ  ＩＣが破壊されることを防止することができる。
【００５６】
なお、以上説明した実施例では、近距離無線通信の実施例としてＮＦＣを取り上げているが、ＮＦＣ以外にも、例えば、ＲＦＩＤ方式などの他の通信方式を用いることも可能である。
【符号の説明】
【００５７】
１  ＮＦＣ  Ｒ／Ｗ、２  ＮＦＣ  ＩＣ、３  ＮＦＣ  ＰＷＢ、
４  アンテナパターン、５  抵抗素子、６、１３  ダイオード（ＬＥＤ）、
７  ＲＦ信号、８  通信ライン、９  ＣＰＵ、１０  コンデンサ、１１  可変抵抗、
１２  制御回路、１４  ＭＦＰ（記録装置）、１５  システム制御部、
１６  インタフェース部、１７  ユーザインタフェース部、１８  メカトロ・センサ部、
２０  ＲＯＭ、２１  ＲＡＭ、２２  ＮＦＣタグ、２３  無線ＬＡＮ、
２４  有線ＬＡＮ、２５  外部メモリスロット、２６  ＬＣＤ、２７  操作部、
２８  駆動機構部・モータ、２９  センサ、３０  記録ヘッド、３１  スキャナ、
３２  電源ユニット
【図１】
2018093453.tif 000003
【図２】
2018093453.tif 000004
【図３】
2018093453.tif 000005
【図４】
2018093453.tif 000006
【図５】
2018093453.tif 000007
【図６】
2018093453.tif 000008